(57)【特許請求の範囲】
【請求項１】
光源と、該光源からの光を導く導光板と、を備えた面発光装置において、
前記光源からの光を照明対象物へ反射する反射部を前記導光板の内部に設け、
前記導光板が、
少なくとも板状部を有する第１部材と、
前記板状部に面接触した状態で積層される板状の長辺部と、前記板状部の端面に当接する当接面を有する短辺部と、を有するＬ字型の第２部材と、を有し、
前記短辺部に、前記光源からの光を前記反射部に導く溝又はマイクロレンズを形成したことを特徴とする面発光装置。
【請求項２】
前記反射部は、前記第２部材の前記長辺部と面接触する前記第１部材の前記板状部の表面に施された複数の線状の溝部であることを特徴とする請求項１に記載の面発光装置。
【請求項３】
前記第１部材と前記第２部材とは、同じ材料からなることを特徴とする請求項１又は２に記載の面発光装置。
【請求項４】
前記第１部材及び前記第２部材とは屈折率が異なる材料を、前記溝部に設けたことを特徴とする請求項２に記載の面発光装置。
【請求項５】
前記導光板が、全体として略直方体をなしていることを特徴とする請求項１乃至４のいずれか１項に記載の面発光装置。
【発明の詳細な説明】
【０００１】
【発明の属する技術分野】
本発明は、液晶表示装置等に用いられる面発光装置に関する。
【０００２】
【従来の技術】
液晶表示板等を照明する装置として、面発光装置が提案されている。面発光装置は、フロントライト或いはバックライトとも称され、一般には、透明基板からなる導光板の側面に光源を設けることにより導光板に光を導入し、導光板表面に設けた反射部によってその光を拡散することにより、面発光を実現するものである。代表的な反射部としては、例えば、１０μｍ程度の微細なプリズム溝等を凹設することが提案されている。
【０００３】
一方、プリズム溝等は、微細な埃等が付着して汚れる場合がある。このような汚れはプリズム溝等における光源からの光の反射に影響を与え、好適な面発光が妨げられるという問題がある。そこで、例えば、特開２００１−１３３７７５号公報には、防塵カバーにより導光板表面を覆うことが提案されている。
【０００４】
【発明が解決しようとする課題】
しかし、上記公報に記載された防塵カバーでは、導光板表面と空隙を有し、装置全体の厚さが厚くなり、薄型化の要請に十分対応できていない。
【０００５】
従って、本発明の目的は、反射部の汚れを防止すると共に薄型化が図り得る面発光装置を提供することにある。
【０００６】
【課題を解決するための手段】
本発明によれば、光源と、該光源からの光を導く導光板と、を備えた面発光装置において、前記光源からの光を照明対象物へ反射する反射部を前記導光板の内部に設け、前記導光板が、少なくとも板状部を有する第１部材と、前記板状部に面接触した状態で積層される板状の長辺部と、前記板状部の端面に当接する当接面を有する短辺部と、を有するＬ字型の第２部材と、を有し、前記短辺部に、前記光源からの光を前記反射部に導く溝又はマイクロレンズを形成したことを特徴とする面発光装置が提供される。
【０００７】
【発明の実施の形態】
以下、本発明の好適な実施の形態について図面を参照して説明する。
【０００８】
＜第１実施形態＞
図１（ａ）は、本発明の一実施形態に係る面発光装置Ａの概略図である。また、図１（ｂ）は、図１（ａ）の線ＸＸに沿う断面図である。本実施形態では、反射型の液晶表示板１００を照明対象物とし、液晶表示板１００のフロントライトとして使用する例を挙げるが、本発明はこれに限られず、種々の照明対象物に使用可能である。
【０００９】
面発光装置Ａは、光源部１と、導光板２と、を備える。
【００１０】
光源部１は、光源１ａと、反射体１ｂと、からなる。光源１ａは、線状光源であって、例えば、冷陰極管であり、その長手方向が導光板２の側面に沿うように配置されている。反射体１ｂは、導光板２の周囲を覆うようにして設けられており、光源１ａからの光が導光板２へ効率よく入射するように内面が鏡面で形成されている。
【００１１】
導光板２は、例えば、光学ガラス、合成樹脂等からなる基板であって、好ましくは、透明な基板からなる。本実施形態の場合、導光板２は、液晶表示板１００を見る者に対する出光面となる上面２ａと、上面２ａの反対面であり、液晶表示板１００に対する出光面となる下面２ｂと、光源１からの光が導入される側面２ｃと、側面２ｃに隣接する側面２ｄ及び２ｅを有する直方体基板を採用している。導光板２は、このように角型基板が最適であるが、基板の形状はこれに限られず、種々の基板を採用できる。
【００１２】
導光板２の内部には、光源１ａからの光を液晶表示板１００へ向けて反射するための反射部が設けられている。本実施形態において、反射部は、断面が三角形で、側面２ｄと２ｅとの間を横断するように直線的に延材した棒状の部材３を略平行に複数設けて構成されている。この部材３は、従来、導光板の表面に刻設されていたプリズム溝の輪郭と実質的に同じ輪郭を持つ部材である。プリズム溝と異なる点は、プリズム溝が表面に刻設されているのに対して部材３は導光板２の内部に埋め込まれている点にある。
【００１３】
この結果、導光板２自体が部材３を保護することとなり、反射部の汚れを防止することができると共に別途防塵カバーが必要ないので薄型化を図ることができる。
【００１４】
なお、部材３は、導光板２の材料の屈折率と異なる屈折率の材料、好ましくは、導光板２よりも小さい屈折率を有する材料からなるが、部材３を埋め込まないで単なる穴とし、部材３に代えて空気（屈折率１）を光の反射媒体としてもよい。
【００１５】
穴とした場合であって、これが側面２ｄ、２ｅを貫通している場合、側面２ｄ、２ｅ側から埃が侵入する場合も考えられるので、これを塞ぐための何らかの措置、例えば、側面２ｄ、２ｅに別のシートや板を貼るという措置を講ずることが望ましく、併せて、穴の中に乾燥空気、乾燥窒素を封入したり或いは真空とすることにより結露の影響を避けることが望ましい。
【００１６】
また、図示した部材３の形状、間隔は、説明の便宜のため簡略化して示したものであり、実際には、各部材３は、例えば、上面２ａから１００μｍ内部に、上面２ａの法線に対して９０度と４５度と０度とをそれぞれなす面から構成され、幅及び深さが１０μｍで、ピッチ２５０μｍで平行に並べて構成される。
【００１７】
尤も、反射部の構成はこれに限られず、種々の形状、配置等の態様が考えられ、例えば、棒状の部材３に代えて、点状の部材を導光板２内に設けて、光源１ａからの光を拡散させ、液晶表示板１００へ出光するようにしてもよい。
【００１８】
次に、係る構成からなる面発光装置Ａの作用について説明すると、光源１ａから導光板２へ入射した光は、導光板２の上面２ａ又は下面２ｂで反射して伝播し、反射部を構成する部材３に到達して全反射やフレネル反射をおこす。その結果、下面２ｂから光が出光して液晶表示板１００を照射する。液晶表示板１００は、反射型であるため、下面２ｂから出光した光は反射して再び導光板２へ入射し、その後、上面２ａから出光することとなる。図１（ｂ）において、矢印は光の経路の一例を示している。
【００１９】
次に、導光板２の製造方法について、一例を挙げると、例えば、導光板２を構成する直方体基板の側面から部材３が埋め込まれる穴をレーザー光等で穿孔し、その後、部材３を挿入するか液状の部材３を穴に流し込んで固化させるようにすることができる。また、部材３が埋め込まれる穴が形成されるような型に導光板２の液体の原材料を流し込んで導光板２を作成し、部材３を穴に設けるようにしてもよい。
【００２０】
＜第２実施形態＞
図２（ａ）は、本発明の他の実施形態に係る面発光装置Ｂの概略図である。また、図２（ｂ）は、図２（ａ）の線ＹＹに沿う断面図である。本実施形態の面発光装置Ｂは、上述した面発光装置Ａと比較して導光板２の構成が異なる。
【００２１】
面発光装置Ｂの導光板２は、第１部材２１と第２部材２２とを積層して構成されている。第１部材２１と第２部材２２とは、全体として板状の直方体をなし、第１部材２１の上面２１ａに第２部材２２の下面２２ｂが面接触した状態で積層され、一体化されている。
【００２２】
導光板２の反射部として、第１部材２１の上面２１ａの表面には、溝が形成されており、ここに上述した部材３が設けられている。部材３は、その上面が第１部材２１の上面２１ａと面一となるように形成されており、第２部材２２の下面２２ｂが隙間無く第１部材２１の上面２１ａに面接触して積層されている。
【００２３】
このように２つの部材を積層して導光板２を構成することにより、反射部としての部材３が実質的に導光板２の内部に埋め込まれた構成となって、第２部材２２が部材３の汚れを防止するカバーとしても機能し、上記第１実施形態の場合と同様の作用を発揮する。
【００２４】
なお、本実施形態では、部材３を設けているが、これを設けず、第１部材２１の上面２１ａの表面に単にプリズム溝を設け、第２部材２２を積層し、空気を光の反射媒体としてもよいことはいうまでもない。
【００２５】
第１部材２１と第２部材２２とは、屈折率が同じ材料から構成されていることが望ましく、特に、両者を同じ材料から構成すればその境界面における光の反射を実質的に無視できる程度に抑えることができる。なお、本実施形態では、第１部材２１と第２部材２２とを、共に全体として板状のものの場合を例に挙げて説明したが、そのような板状部分を有する他の形の部材を採用してもよいことはいうまでもない。
【００２６】
次に、本実施形態の導光板２の製造方法について、一例を挙げると、例えば、第１部材２１に従来の手法によりプリズム溝を成型し、部材３を取り付ける場合はこれを取り付けた後、第２部材２２を積層する。両者の積層は、例えば、接着剤による接着や、熱圧着、或いは、超音波溶着等の方法により行うことができる。接着剤による接着の場合、第１部材２１や第２部材２２と屈折率が同じか近似する接着剤を用いることが望ましく、これにより境界面での光の反射を抑制することができる。好ましくは、第１部材２１、第２部材２２及び接着剤を、例えば、アクリル樹脂やポリカーボネイト樹脂といった同じ材料から構成する。
【００２７】
本実施形態の導光板２は、製造が容易であるという利点がある。また、第１部材２１は従来の導光板と略同一の構成であるため、既存の導光板を利用して第２部材２２を積層することにより反射部を導光板内部に設けた構成を実現できるという利点もある。
【００２８】
＜第３実施形態＞
次に、導光板表面での外来光の反射を防止するために反射防止膜を設けることが望ましい。図３は、上述した第１実施形態の面発光装置Ａに反射防止膜を設けた例を示した断面図である。
【００２９】
図３の例では、導光板２の上面２ａと下面２ｂとにそれぞれ反射防止膜（ＡＲコート）を被覆している。これにより外乱光が上面２ａ及び下面２ｂで反射してコントラストが低減することを防止することができる。
【００３０】
＜第４実施形態＞
図４（ａ）は、本発明の他の実施形態に係る面発光装置Ｃの概略図である。また、図４（ｂ）は、面発光装置Ｃの一部破断平面図である。本実施形態の面発光装置Ｃは、上述した面発光装置Ｂのように２つの部材を積層して導光板を形成する形式であるが、光源として線状光源に代えてＬＥＤ等の点状光源を採用した場合の態様を示している。
【００３１】
面発光装置Ｃは、概説すると、液晶表示板１００に光を反射する反射部に対して、点状光源からの光を反射する別の反射部を導光板に設けている。詳細には、点状光源からの光を、該別の反射部により、線状光源を用いた場合の光のような平行光に変換し、液晶表示板１００に光を反射する反射部へ光を反射する。
【００３２】
本実施形態において、導光板２は、第１部材２１と第２部材２２０とを積層して構成されている。第１部材２１は上記第２実施形態の面発光装置Ｂの第１部材２１と同様のものであり、その上面に部材３による反射部が形成されている。もちろん部材３を設けずに単なるプリズム溝としてもよいことは上記第２実施形態の場合と同様である。
【００３３】
第２部材２２０は、Ｌ字型をなし、その長辺側の板状部分２２１の下面に第１部材２１の上面が面接触するように積層されており、導光板２が全体として略直方体をなすように構成されている。第２部材２２０の短辺側の対向する２つの側面には、点状の光源１１が配置されており、また、これらの側面に隣接する残り一方の側面には、複数の溝２２２が形成されている。
【００３４】
この溝２２２は、図４（ｂ）に示すように光源１１からの光を部材３方向へ反射するためのものであり、本実施形態の場合、断面が三角形のプリズム溝を採用している。反射の原理は、液晶表示板１００へ光を反射するために導光板に設けられるプリズム溝と同じである。
【００３５】
このような溝２２２によって光源１１からの光を部材３方向へ反射することにより、点状の光源１１を用いながら上記第１及び第２実施形態で説明した線状光源１ａを用いた場合と同様の発光が行われることとなる。本実施形態では、第２部材２２０をこのように形成することで、部材３の保護機能と、点状光源による光を線状光源を用いた場合と同様の発光の実現と、の双方を第２部材２２０により実現している。
【００３６】
＜第５実施形態＞
図５は、本発明の他の実施形態に係る面発光装置Ｄの概略図である。本実施形態の面発光装置Ｄは、上述した面発光装置Ｃのように光源として点状光源を採用した場合の態様であって、面発光装置Ｃにおける溝２２２に代えて、マイクロレンズを採用した場合の態様である。
【００３７】
本実施形態において、導光板２は、第１部材２１と第２部材２３０とを積層して構成されている。第１部材２１は上記第２実施形態の面発光装置Ｂの第１部材２１と同様のものであり、その上面に部材３による反射部が形成されている。もちろん部材３を設けずに単なるプリズム溝としてもよいことは上記第２実施形態の場合と同様である。
【００３８】
第２部材２３０は、上記第４実施形態における第２部材２２０と略同様の外形をなしている。すなわち、第２部材２３０は、Ｌ字型をなし、その長辺側の板状部分２３１の下面に第１部材２１の上面が面接触するように積層されており、導光板２が全体として略直方体をなすように構成されている。
【００３９】
第２部材２３０の図の左側面には、複数のマイクロレンズ２３２が設けられており、そのマイクロレンズ２３２に点状の光源１１が対向配置されている。本実施形態においてマイクロレンズ２３２は、断面が半円形状をなし上下方向に延在して半円の円柱状に設けられている。本実施形態におけるマイクロレンズ２３２はこのような構成のものであるが、その形状、配置の態様は種々の態様が選択できる。
【００４０】
このようなマイクロレンズ２３２を設けることにより光源１１から導光板２内へ入射する光が分散入射し、導光板２内の光の分布が均一化する。本実施形態では、第２部材２３０をこのように形成することで、部材３の保護機能と、点状光源による光を導光板２内で均一で分布させること、の双方を第２部材２３０により実現している。
【００４１】
【発明の効果】
以上説明したように、本発明の面発光装置は、反射部の汚れを防止すると共に薄型化を図ることができる。
【図面の簡単な説明】
【図１】（ａ）は、本発明の一実施形態に係る面発光装置Ａの概略図である。（ｂ）は、図１（ａ）の線ＸＸに沿う断面図である。
【図２】（ａ）は、本発明の他の実施形態に係る面発光装置Ｂの概略図である。（ｂ）は、図２（ａ）の線ＹＹに沿う断面図である。
【図３】第１実施形態の面発光装置Ａに反射防止膜を設けた例を示した断面図である。
【図４】（ａ）は、本発明の他の実施形態に係る面発光装置Ｃの概略図である。また、（ｂ）は、面発光装置Ｃの一部破断平面図である。
【図５】本発明の他の実施形態に係る面発光装置Ｄの概略図である。
【符号の説明】
Ａ乃至Ｄ  面発光装置
１００  液晶表示板
１ａ、１１  光源
２  導光板
３  部材（反射部）
２１  第１部材
２２、２２０、２３０  第２部材
【図１】
0004122161.tif 000002
【図２】
0004122161.tif 000003
【図３】
0004122161.tif 000004
【図４】
0004122161.tif 000005
【図５】
0004122161.tif 000006